(57)【要約】【課題】  紫外線放射ランプの保護と破損時のガラス片の飛散防止を目的とする部材は従来より種々提案されているが、紫外線の放射によって劣化しやすく頻繁に交換しなければならなかった。また従来の構造では着脱が面倒であり、ランニングコストの嵩むものであった。【解決手段】  直型の紫外線放射ランプをカバーするものであって、フッ素樹脂フィルムより成り、該ランプに重複部分が存在する形で自然に巻き付くよう筒状にヒートセットされたものである。フッ素樹脂フィルムであるので耐候性が極めて良好であり、またヒートセットされているので装着も取り外しも非常に簡便である。【選択図】  図１
2007115557.tif 000002
【特許請求の範囲】
【請求項１】
直型の紫外線放射ランプをカバーするものであって、フッ素樹脂フィルムより成り、該ランプに重複部分が存在する形で自然に巻き付くよう筒状にヒートセットされたものであることを特徴とする紫外線放射ランプ保護フィルム。
【発明の詳細な説明】
【技術分野】
【０００１】
本発明は、紫外線放射ランプ外表面を被覆することで、そのランプを保護するフィルムに関するものである。
【背景技術】
【０００２】
「紫外線放射ランプ」は、放射する電磁波波長が基本的に短く、紫外線領域であるという特性を持っている。紫外線領域の短波長電磁波は、趨光性昆虫（灯火に飛翔してくる昆虫）に対して誘虫効果があること、或いは殺菌効果があること、から誘虫ランプや殺菌ランプに用いられている。そして紫外線放射ランプ表面は、通常はガラスでできている。従って、落下した際、或いは接触等の衝撃を受けると簡単に破損する。
【０００３】
そこで従来より、紫外線放射ランプの保護或いは破損したガラス片の飛散防止を目的とする種々の提案がなされている。典型的な構造としては、熱収縮タイプのチューブを被せて熱風収縮させるもの、内側に粘着剤層を有するフィルムを貼着するもの、ガラス管部分は筒状体で覆いこの両端部に蓋状部材を配置し蛍光灯管の口金部分で固定するもの、等々がある。また材質としては、ポリエステル樹脂、ポリカーボネート樹脂、スチレンアクリル樹脂、等が採用されている。
【特許文献１】特開２００５−０８２７７７
【発明の開示】
【発明が解決しようとする課題】
【０００４】
ところがこうした従来の提案の場合、熱収縮タイプのチューブを被せて熱風収縮させるもの、或いは、粘着剤層を有するフィルムを貼着するものにあっては、加熱や接着といった作業が面倒である。またガラス管部分は筒状体で覆いこの両端部に蓋状部材を配置しランプ口金部分で固定するものの場合、蓋状部材は筒状体を保持しつつ自身を口金部分に固定させておくための構造が複雑であって安価に提供できるものとはなっていない。
【０００５】
また、紫外線放射ランプは、強力な紫外線を放射するものであるため、ポリエステル樹脂、ポリカーボネート樹脂、スチレンアクリル樹脂、等々これまで使用されてきている材質のプラスチックフィルムの場合、いずれも紫外線に対する耐久性が低く、照射時間・強度にもよるが、２，３ヶ月毎に取り替えなければならない程劣化することも稀ではない。従って、交換作業も含めたランニングコストは相当高額なものとなることから採用しづらいものであった。
【課題を解決するための手段】
【０００６】
以上のような現状に鑑み、本発明者は長年鋭意研究の結果遂に本発明を成したものであり、その特徴とするところは、直型の紫外線放射ランプをカバーするものであって、フッ素樹脂フィルムより成り、該ランプに重複部分が存在する形で自然に巻き付くよう筒状にヒートセットされたものである点にある。
【０００７】
フッ素樹脂フィルムは、他のプラスチックフィルムに比べて、紫外線に対して格段の耐性を有している。従ってこれを、紫外線放射ランプの保護フィルムとして用いた場合、ランプ自体の寿命よりはるかに耐久性が高いので、保護フィルムのみ交換する必要性というものが基本的になくなる。
【０００８】
なお使用し得るフッ素樹脂としては、紫外線放射ランプ用の保護フィルムであることから当然紫外線透過性が良好である必要があるがこの条件を満たせば基本的にどのようなものでも良く特に限定はしない。但し、加工性の良好なものは製造コストの面から好適である。そのようなものとして、「ＰＦＡ」（４フッ化エチレンとパーフルオロアルコキシエチレンの共重合樹脂）、「ＦＥＰ」（４フッ化エチレンと６フッ化プロピレンの共重合樹脂）、「ＥＴＦＥ」（４フッ化エチレンとエチレンの共重合樹脂）、「ＰＣＴＦＥ」（３フッ化塩化エチレン樹脂）などがある。またフィルム厚についても特に限定するものではなく、材質、或いは設定されている可視光・紫外線の透過率、等々に応じて適宜採用され得るものであるが、本発明者が試作実験した範囲では、１０μｍ〜３００μｍ程度、中でも５０μｍ〜２００μｍ程度が最適であった。
【０００９】
本発明に係る紫外線放射ランプ保護フィルムは、押出成形したものをヒートセットすることで巻き癖を付けている。巻き癖を得ることによって紫外線放射ランプへの装着は非常に簡単になる。従来の装着方法の場合、軟質素材の袋に挿入する場合には挿入それ自体が困難であったし、硬質素材の筒に入れる場合には誤ってガラスを破損させてしまう恐れがあった。本発明のフィルムの場合ヒートセットされ巻き癖が付いたものであるので基本的に装着は容易である。その装着方法自体は本発明を限定するものではないが、本発明者が試作実験した範囲では、矩形フィルムの一辺に平行な軸に沿って巻き癖を付けたものを該軸と直交するように巻き上げたものを準備しておき、これを紫外線放射ランプの一端にあてがい、巻き戻してゆくという手法が最も効率の良い方法であった。なおヒートセット自体の詳細についても何ら限定するものではない。
【００１０】
更に、巻き癖を利用して装着したものであるので、装着されたフィルムを取り外すのも非常に容易である。粘着剤によって装着されたもの、熱収縮によって装着されたもの、の場合にはフィルム除去自体ほぼ不可能であるし、それ以外のあらゆる装着方法に比しても取り外しは容易である。従って従来の形態に比して、廃品からのプラスチック分別作業は容易であるし、フィルムの再度の利用も簡便になる。
【００１１】
紫外線放射ランプが外力を受けてガラス管が破損する場合、該外力を受け筒状体の一部が陥没することになる。すると、ガラス管周囲を完全に覆ってしまう構造である熱収縮チューブや硬質筒状体の場合、陥没部分にあった気体は次の瞬間逃げ場を失い、結果、被覆していたチューブや筒状体を破壊する可能性がある。
【００１２】
対して、矩形状のものに巻き癖を付けたものの場合には、安全性は高いものとなる。巻き癖を付けたものを紫外線放射ランプに巻き付けるということは、その巻き癖の強さによってカバー本体に取り付いているわけであるので、ガラス管の一部が陥没しても、まず第一に隙間としての空気は存在していない。第二に、巻かれているだけであるので、圧力が高くなれば重複部分を滑らせて径を大きくするということで対応し得る。即ち筒状体の場合であれば自身が破裂してしまう程度の衝撃を受けても、本発明品の場合には保護部材自体の破裂という形を採らずに済む。
【００１３】
紫外線放射ランプに巻き付く際、その巻き付き方は「重複部分が存在する形」であることが必要である。即ち、巻き付いた状態で隙間が生じてランプのガラス部分が露出してしまうような状態、或いは隙間はないが重複部分もないいわゆる突き合わせという状態、の場合本発明の目的は達成できない。そしてこの重複の程度については、採用されるフッ素樹脂の種類やフィルムの厚さ、或いはヒートセットの設定などによって種々選択されるべきものであるので本発明においては限定しない。但し本発明者が試作実験した範囲ではこの重複部分は、紫外線放射ランプの円周の１／４或いは１／３程度以上あれば、落下してもランプ破片が飛散することを充分防止した。
【００１４】
なお、直型紫外線放射ランプの長さには幾種類かあるが、複数枚のカバー本体を巻き付け、粘着テープなどでこれらを連結するようにすれば対応が容易である。この場合、カバー本体同士を突き合わせるようにしても良いが、本発明者が試作実験した限りでは重複して巻いた上で粘着テープ留めしたものの方が強度的に好適なものとなった。
【００１５】
なお、本発明保護フィルムが巻き付けられただけの状態では保護能力は高くないので、紫外線放射ランプと本発明保護フィルムとの一体化を図る何らかの手段を講じることが好ましい。最も簡単な方法は、保護フィルムを巻き付けた後、粘着テープや輪ゴム若しくはこれらに代わる部材を巻くというものである。或いは、口金形状に合わせた嵌め込み部材によって保護フィルムを把持固定するようにしても良い。そうした手段に関して本発明は何ら限定するものではない。
【発明の効果】
【００１６】
本発明に係る紫外線放射ランプ保護フィルムは、以下述べる如き効果をする。
（１）  紫外線に曝されてもほとんど劣化しない。
（２）  紫外線の透過をほとんど妨げることがないので、紫外線放射ランプ本来の機能が損なわれない。
（３）  安全である。
【発明を実施するための最良の形態】
【００１７】
以下図面に基づいて本発明をより詳細に説明する。
【実施例１】
【００１８】
図１は、本発明に係る紫外線放射ランプ保護フィルム１（以下「本発明保護フィルム１」という）の一例を示すものであり、図では円筒状であるが、外力を加えれば容易に展開されて矩形状となるものである。そして本例の材質は「ＥＴＦＥ」（４フッ化エチレンとエチレンの共重合樹脂）であり、厚さは約１００μｍである。
【００１９】
本発明保護フィルム１を紫外線放射ランプに装着するのは極めて簡単である。図２はその一例として、紫外線放射ランプ２に本発明保護フィルム１を装着しつつある状態を示すものである。本発明保護フィルム１には巻き癖が付いているが、その癖の方向と直交する方向に予め巻いておき、それを紫外線放射ランプ２にあてがいながら巻き付けをほどいてゆけば、自動的に巻き付いてゆく。予め巻き癖と直交する方向に巻いておくという手間と、最初の巻き付けをほどきながら装着してゆくに際してちょっとした要領が必要であると言えなくもないが、いずれも時間や熟練を要するものではなく、また紫外線放射ランプを破損させてしまう恐れもほとんどないので、作業性は極めて良好である。
【図面の簡単な説明】
【００２０】
【図１】本発明に係る紫外線放射ランプ保護フィルムの一例を示す概略斜視図である。
【図２】本発明に係る紫外線放射ランプ保護フィルムを実際にランプに装着している状態を概略的に示す斜視図である。
【符号の説明】
【００２１】
１    本発明に係る紫外線放射ランプ保護フィルム
２    紫外線放射ランプ
【図１】
2007115557.tif 000003
【図２】
2007115557.tif 000004